(57)【特許請求の範囲】
【請求項１】
２つ以上の電源の切替え方法であって、
第１のソリッドステートリレーと並列接続する第１のラッチリレーを備える第１のスイッチアセンブリを介して出力線に電気的に接続される第１の入力線から、第２のソリッドステートリレーを並列接続する非ラッチリレーを備える第２のスイッチアセンブリを介して前記出力線と電気的に接続可能である第２の入力線に切替える命令を受信することであって、前記第１のラッチリレーは状態変化を命令する信号がないときはそのままの状態を維持し、前記非ラッチリレーは状態変化を命令する信号がないときはデフォルト状態に戻る、前記受信することと、
前記第１のスイッチアセンブリで、前記第１のラッチリレーが短絡されるように前記第１のソリッドステートリレーを閉じさせることと、
前記第１のラッチリレーが前記第１のソリッドステートリレーによって短絡される間に、前記第１のラッチリレーを開かせることと、
第１の入力線が前記出力線から電気的に切断されるように前記第１のソリッドステートリレーを開かせることと、
前記第２の入力線が前記出力線と電気的に接続されるように前記非ラッチリレーを閉じさせることと、
を含む、前記方法。
【請求項２】
前記方法がさらに、
前記非ラッチリレーが短絡されるように前記第２のソリッドステートリレーを閉じさせることと、
前記非ラッチリレーが前記第２のソリッドステートリレーを介して短絡される間に、前記非ラッチリレーを閉じさせることと、
をさらに含む、請求項１に記載の方法。
【請求項３】
前記第２のスイッチアセンブリがバックアップラッチリレーをさらに備え、
前記方法が、前記第２の入力線が前記バックアップラッチリレーによって前記第２のソリッドステートリレー及び前記非ラッチリレーから電気的に絶縁されるように、前記バックアップラッチリレーを開かせることをさらに含む、請求項１又は請求項２に記載の方法
【請求項４】
ユーザーにアラートを提供させることをさらに含む、請求項１から請求項３のいずれかに記載の方法。
【請求項５】
前記命令が、前記第１の入力線での検出された第１の電流又は電圧に基づいて生成される、請求項１から請求項４のいずれかに記載の方法。
【請求項６】
前記第１の入力線での第１の電流又は電圧、前記第２の入力線での第２の電流又は電圧、及び前記出力線での第３の電流又は電圧の少なくとも１つを検出することと、
前記第１の電流又は電圧、前記第２の電流又は電圧、及び前記第３の電流又は電圧の少なくとも１つに基づいて前記命令を生成することと、
をさらに含む、請求項１から請求項５のいずれかに記載の方法。
【請求項７】
切替えを開始する指図を示すユーザー入力を受信することと、
前記ユーザー入力に基づいて前記命令を生成することと、をさらに含む、
請求項１から請求項６のいずれかに記載の方法。
【請求項８】
第１の電線路と、
第１のラインセンサと、
状態変化を命令する信号がないときはそのままの状態を維持する第１のラインラッチリレーと、
前記第１ラインラッチリレーと並列接続する第１のラインソリッドステートリレーと、
を含む第１のラインアセンブリと、  
第２の電線路と、
状態変化を命令する信号がないときはそのままの状態を維持する第２のライン非ラッチリレーと、
前記第２のライン非ラッチリレーと並列接続する第２のラインソリッドステートリレーと、
を含む第２のラインアセンブリと、
を備えるスイッチング素子と、
前記第１の電線路の電源異常に応答して、
前記第１のラインソリッドステートリレーを閉じさせて、前記第１のラインラッチリレーを短絡させ、
前記第１のラインラッチリレーが前記第１のラインソリッドステートリレーを介して
短絡される間に、前記第１のラインラッチリレーを開かせ、
前記第１のラインソリッドステートリレーをオフにさせるために前記スイッチング素子を操作する実行可能命令で構成される管理モジュールと、
を備える、システム。
【請求項９】
前記管理モジュールが、
前記第２のラインソリッドステートリレーを閉じさせて、前記第２のライン非ラッチリレーを短絡させ、
前記第２のライン非ラッチリレーが前記第２のラインソリッドステートリレーを介して短絡される間に、前記第２のライン非ラッチリレーを閉じささせ、
前記第２のラインソリッドステートリレーを開かせるために前記スイッチング素子を操作する実行可能命令でさらに構成される、
請求項８に記載のシステム。
【請求項１０】
前記第１の電線路を切断するように構成された第１のラインバックアップリレーをさらに備え、前記管理モジュールがさらに、
切替え動作が発生したことを検出し、
前記切替え動作を検出することに応えて前記第１のラインバックアップリレーを開かせる実行可能命令で構成される、
請求項９に記載のシステム。
【請求項１１】
前記第２の電線路及び前記第２の電線路での第２のラインセンサを切断するように構成された第２のラインバックアップリレーをさらに備え、
前記管理モジュールがさらに、
前記第２のラインセンサを介して前記第２の電線路での電源異常を検出し、
前記電源異常を検出することに応えて前記第２のラインバックアップリレーを開かせる実行可能命令でさらに構成される、
請求項９に記載のシステム。
【請求項１２】
前記管理モジュールがさらに、
前記第１の電線路の電流又は電圧に関する情報を受信し、
前記受信した情報に基づいて切替え動作を開始する
実行可能命令で構成される、請求項９から請求項１１のいずれかに記載のシステム。
【請求項１３】
前記管理モジュールがさらに、
前記第１の電線路の停電に関する情報を受信し、
前記受信した情報に基づいて切替え動作を開始する
実行可能命令でさらに構成される、請求項９から請求項１２のいずれかに記載のシステム。
【請求項１４】
出力線での出力センサをさらに備え、
前記管理モジュールがさらに、
前記出力センサを介して前記出力線での電流又は電圧に関する第１のデータを受信し、
前記第１のラインセンサを介して入力線での電流又は電圧に関する第２のデータを受信し、
前記第１のデータ及び前記第２のデータの少なくとも１つに部分的に基づいて切替え動作を開始する
実行可能命令で構成される、請求項１１から請求項１３のいずれかに記載のシステム。
【発明の詳細な説明】
【技術分野】
【０００１】
通常、データセンタは、コンピュータサーバの集合体、ならびに例えば自動切替えスイッチ等の電力管理構成要素を含む、それらのサーバの管理、動作、及び接続性のための構成要素を含む。既存の自動切替えスイッチは、データセンタ構成要素の機能性及び一貫した動作を改善することを目的としているが、故障し、相当量の電力を消費することがある。
【発明の概要】
【課題を解決するための手段】
【０００２】
本開示に従った多様な実施形態を、図面を参照して説明する。
【図面の簡単な説明】
【０００３】
【図１】実施形態に従って電源を切替えるためのシステムの高レベルブロック図である。
【図２】図１のシステムに従って電源を切替えるための例のシステムのブロック図である。
【図３】図１のシステムに従って電源を切替えるための例のシステムの詳細なブロック図である。
【図４】実施形態に従って電源を切替えるための例のプロセスを示す図である。
【図５】実施形態に従って電源を切替えるための別の例のプロセスを示す図である
【図６】多様な実施形態を実装できる環境を示す図である。
【発明を実施するための形態】
【０００４】
以下の説明では多様な実施形態が説明される。説明の目的のため、特定の構成及び詳細が実施形態の完全な理解を提供するために記載される。しかしながら、本実施形態が特定の詳細なしに実施され得ることも当業者に明らかとなるだろう。さらに、周知の特徴は、説明されている実施形態を不明瞭にしないために省略または簡略化され得る。
【０００５】
現代のデータセンタでは、サーバ及び他のコンピュータデバイスに対する電力の持続性は、冗長電源を利用することによって維持できる。従来のシステムでは、２つ以上の冗長なＡＣ電源またはＤＣ電源が使用されてよい。自動切替えスイッチは、一次電源によって下流の電子機器に供給される電力を監視し、一次電源が故障した場合二次電源への切替えを生じさせるために使用できる。切替えは、二次電源と電子機器との間の別の機械的なリレーが閉じられる間に、一次電源と電子機器との間の機械的なリレーを開かせることによって達成される。しかしながら、電源を監視することは、電力を消費し、使用される構成要素に摩耗を生じさせることがあるプロセスである。さらに、切替え動作は、切替え構成要素を通る重大な電力サージを引き起こすことがあり、このことが切替え構成要素に対する劣化及び／または損傷を引き起こすことがある。さらに、二次電源が適切に構成されない場合、切替え動作はデータセンタの下流の電子部品にも損傷を引き起こすことがある。
【０００６】
本明細書に説明される実施形態は、１つ以上のトライアックデバイスを含むスイッチマトリクスを使用し、２つの冗長なＡＣ電源を切替えるためのシステム及び方法を含む。トライアックデバイスは、小さいゲート電流を使用し、切替えることができるサイリスタである。トライアックデバイスはＡＣ回路とＤＣ回路の両方で使用できる。トライアックデバイスは小さい（ミリアンペア規模の）ゲート電流により電流を伝導するためにトリガできる。いったんトリガされると、トライアックデバイスは、トライアックデバイスを横切る電流がゼロに低下するまで伝導し続ける。ＡＣシステムでは、電流はＡＣサイクルの半サイクルごとにゼロを交差する。多くの実施形態では、トライアックはＡＣサイクルの半サイクルごとにパルスを提供することによってまたは連続ゲート制御信号を提供することによって導電状態に保持される。
【０００７】
多くの実施形態では、トライアックデバイスは、リレーによって電力が伝導されていない間に、電気的なリレーを切替えることができるように、電気的なリレーの「負荷を軽減する」ように電力を一時的に伝導するために使用される。多くの実施形態では、２つの冗長なＡＣ電源は主電源及びバックアップ電源を含む。多くの実施形態では、主電源が故障し始めると、主電力線上のトライアックデバイスがオンにされて、主電力線から転送される電力を一時的に伝導し、それによって主電力線から電力を転送するために使用される電気的なリレーの負荷を軽減する。その結果、負荷が軽減された電気的なリレーは、かなりの電流レベルを転送している間に電気的なリレーが開かれると、電気的なリレーに起こることがある損傷の危険を冒すことなく開かれる。トライアックデバイスは、バックアップ電源からの電力を転送するための電気的なリレーを、無負荷中閉じることを可能にするためにバックアップ電源から電力を一時的に転送するために使用できる。主電源からバックアップ電源への電源供給が完了すると、両方のトライアックデバイスともオフにすることができる。
【０００８】
実施形態はトライアックデバイスを含むとして本明細書に説明されているが、トライアックデバイスの代わりに任意の適切なソリッドステートリレーを利用することもできる。例えば、単一のＭＯＳＦＥＴに基づいたＳＳＲ、または並列アレイの複数のＭＯＳＦＥＴが、直流負荷を切替えるために使用できる。交流電流負荷を切替えるためには、２つのＭＯＳＦＥＴを使用し、そのソースピンが互いに結び付けられた状態で背中合わせに配置できる。ＡＣ回路では、シリコン制御整流器（ＳＣＲ）またはトライアックリレーは、本質的にゼロ負荷電流の点でオフに切替わる。したがって、制御信号は、リレーを閉じた状態にしておくために継続的に印加できる、またはゼロ負荷電流期間中にリレーが開くのを防ぐために周期的に印加できる。
【０００９】
ここで図を参照すると、図１は、冗長電源を切替えるための例のシステム１００を示す。システム１００は、主電源入力線１０４、スイッチマトリクス１０６、出力線１０８、及びバックアップ電力入力線１１４を含む。システム１００はさらに、主電源１０２、電子システム（複数可）１１０、バックアップ電源１１２、管理モジュール１１６、ネットワーク１１８、及び／またはユーザーインタフェースモジュール１２０を含むことがある。主電源１０２は、主電源入力線１０４を介してスイッチマトリクス１０６に電力を供給する。典型的な動作状態では、スイッチマトリクス１０６は主電源入力線１０４を、電子システム（複数可）１１０に接続される出力線１０８に接続する。バックアップ電源１１２は、典型的な動作状態では、出力線１０８に電気的に接続されないバックアップ電力入力線１１４を介してスイッチマトリクス１０６に接続される。スイッチマトリクス１０６は、主電力入力線１０４を出力線１０８から切断し、バックアップ電力入力線１１４を出力線１０８に接続することによって電源切替えを引き起こすよう作動する。
【００１０】
いくつかの実施形態では、スイッチマトリクス１０６は、主電力入力線１０４で受け取られる電圧及び／または電流の不規則性を検出し、不規則性検出時、主電源１０２から受け取られる供給電力をバックアップ電源１１２から受け取られる供給電力に切替えるように構成される。いくつかの実施形態で、スイッチマトリクス１０６はネットワーク１１８を介して管理モジュール１１６から受信される命令を介して制御される。いくつかの実施形態では、スイッチマトリクス１０６は、主電源１０２、管理モジュール１１６、及び／またはユーザーインタフェースモジュール１２０から受信される情報を介して、不規則性が発生したと判断するように構成される。いくつかの実施形態では、管理モジュール１１６は、ネットワーク１１８を介してユーザーインタフェースモジュール１２０、主電源１０２、またはスイッチマトリクス１０６のいずれかから受信されるデータを監視し、不規則性が発生したかどうかを判断し、スイッチマトリクスにバックアップ電源を介して主電源から、またはバックアップ電源から主電源へ、供給電力に切替えさせる。いくつかの実施形態では、スイッチマトリクス１０６及び／または管理モジュール１１６は、バックアップ電源１１２での電力品質（例えば、バックアップ電源を介した電力が利用可能であるかどうか）に関する情報を受信し、バックアップ電源からの電力が利用できない場合、またはバックアップ電源から利用可能な電力の質が所定の品質レベルを満たさない場合、切替えが発生するのを妨げる。また、スイッチマトリクス１０６は、主電源からの供給電力と、ネットワーク１１８を介したユーザーインタフェースモジュール１２０から受信される命令を介したバックアップ電源からの電力を切替えさせられることもある。例えば、ユーザーはスイッチマトリクス１０６を制御して、例えば構成要素を保守または交換できるようにするために構成要素の動力源を断つ等の任意の適切な目的のために主電源１０２から出力線を切断するためにユーザーインタフェース１２０を使用できる。
【００１１】
図２は、多くの実施形態に従って、及び図１のシステム１００の実施形態に従って冗長電源を切替えるためのより詳細な例のシステムを示す。システム２００は、主線入力端子２０２、主線入力端子に接続された主線センサ２０４（例えば、電圧センサ（複数可）及び／または電流センサ（複数可））、ならびに主線スイッチモジュール２０６を含む。主線入力端子２０２は主電源から電力を受け取るように構成される。主線スイッチモジュール２０６は典型的な動作中、電流が主線入力端子２０２からライン出力端子２１０を介して下流の電子システム２１２に通過するように「オン」状態で構成される。主線センサ２０４は、主線入力端子２０２を介して主線スイッチモジュール２０６に供給される電力を監視する。出力センサ２０８（例えば、電圧センサ（複数可）及び／または電流センサ（複数可））は、ライン出力端子２１０を介して電子システム２１２に供給される電力を監視する。第２のライン入力端子２１４は、二次電源またはバックアップ電源から電力を受け取るように構成される。第２のライン入力端子２１４は、通常の動作中、第２のラインスイッチモジュール２１８からライン出力端２１０を介して電子システム２１２に電流が流れないように「オフ」位置で構成される第２のラインスイッチモジュール２１８に電力を転送する。第２のラインセンサ２１６（例えば、電圧センサ（複数可）及び／または電流センサ（複数可））は、第２のライン入力端子２１４を介して第２のラインスイッチモジュール２１８に供給される電力を監視する。
【００１２】
主線センサ２０４、主線スイッチモジュール２０６、出力センサ２０８、第２のラインスイッチモジュール２１８、第２のラインセンサ２１６、及び電子システム２１２のいずれか、または任意の適切な組合せは、ネットワーク２２０を介して互いと及び／または管理モジュール２２２と通信することがある。管理モジュール２２２は、例えば電圧及び電流のどちらかまたは両方の不規則性が、主線センサ２０４、主線スイッチモジュール２０６、出力センサ２０８、または電子システム２１２のいずれかで検出されたとき切替え動作を引き起こす命令を含むことがある。さらに、管理モジュール２２２は、不規則性が電圧及び／または電流のどちらかの名目値より所定の量（複数可）低い変動を含むことがある所定の閾値を超えるとき切替え動作を引き起こす命令を含むことがある。
【００１３】
また、管理モジュール２２２は、第２のライン入力端子２１４での電力の可用性に関して第２のラインセンサ２１６及び／または第２のラインスイッチモジュール２１８から情報を受信することもある。電力が第２のライン入力端子２１４で利用できない、または不十分な品質である場合、管理モジュール２２２は切替え動作を妨げることがある、またはユーザインターフェースモジュール２２４でユーザーにアラートを開始することがある。また、管理モジュール２２２は第２のラインセンサ２１６または第２のラインスイッチモジュール２１８で電流の質も検出し、該質を使用し、切替え動作を完了するための最適な時点を決定できる。また、管理モジュール２２２は、ユーザインターフェースモジュール２２４からネットワーク２２０を介して命令を受信して、電源の任意の不規則性に関する情報を受信しない場合に切替え動作を引き起こすこともある。
【００１４】
図３は、実施形態に従って、及び図１のシステム１００の実施形態に従って冗長電源を配置するための例のシステム３００の詳細なブロック図を示す。システム３００は、主入力線３０２ａ及びニュートラル端子３０２ｂ、主入力線の電圧を測定する主線電圧センサ３０４、ならびに主入力線の電流を測定するための主線電流センサ３０６を含む。主入力線３０２ａ及びニュートラン端子３０２ｂは、下流で第１のメインラッチリレー３０８ａ、３０８ｂと、並列接続で第２のメインラッチリレー３１０ａ、３１０ｂ、及び主線トライアックデバイス３１２ａ、３１２ｂと接続する。通常動作中、主入力線３０２ａ及びニュートラル端子３０２ｂが出力線３１８ａ及び出力ニュートラル端子３１８ｂと電気的に接続するように、主線トライアックデバイスはオフ（非伝導）であり、主線ラッチリレー３０８ａ、３０８ｂ、３１０ａ、３１０ｂは閉じられる（伝導中）。出力電流センサ３１４及び出力電圧センサ３１６は、それぞれ出力線３１８及び出力ニュートラル端子３１８ｂで電流及び電圧の質を測定する。
【００１５】
また、システム３００は、バックアップ入力線３２０ａ及びバックアップ入力ニュートラル端子３２０ｂ、バックアップ入力線の電圧を測定するバックアップ入力電圧センサ３２２、ならびにバックアップ入力線の電流を測定するためのバックアップライン電流センサ３２４も含む。バックアップ入力線３２０ａ及びニュートラル端子３２０ｂは、下流で（出力線３１８ａ及び出力ニュートラル端子３１８ｂに向かって）第１のバックアップラッチリレー３２６ａ、３２６ｂ、及び並列接続でバックアップ非ラッチリレー３２８ａ、３２８ｂ及びバックアップライントライアックデバイス３３０ａ、３３０ｂと接続する。通常動作中、バックアップ入力線３２０ａ及びニュートラル端子３２０ｂが出力線３１８ａ及び出力ニュートラル端子３１８ｂと電気的に接続しないように、バックアップトライアックデバイスはオフ（非伝導）となり、バックアップライン非ラッチリレー３２８ａ、３２８ｂは開いている（非伝導）。第１のバックアップラッチリレー３２６ａ、３２６ｂは、通常の動作中、これらのリレーを通って電流が流れないように開いている（非伝導）。電流センサ３０６、３１４、及び３２４は、ホール効果センサ等の任意の適切な電流検知装置を含むことがある。電圧センサ３０４、３１６、及び３２２は、例えば最小電流パススルーを有する高圧監視装置等の任意の適切な電圧検知装置を含むことがある。
【００１６】
ラッチリレー３０８ａ、３０８ｂ、３１０ａ、３１０ｂ、３２６ａ、３２６ｂ、非ラッチリレー３２８ａ、３２８ｂ、トライアックデバイス３１２ａ、３１２ｂ、３３０ａ、３３０ｂ、及びセンサ３０４、３０６、３２２、３２４、３１４、３１６の任意の適切な組合せは、ネットワーク３４４を介して管理モジュール３４２と通信できる。いくつかの実施形態では、管理モジュールは上述の構成要素の間で分散される、または上記構成要素と接続される１つもしくは複数のコンピュータシステムであってよい。いくつかの実施形態では、上述のセンサ、リレー、及びトライアックデバイスはスイッチマトリクス３４０の中に組み込まれる。場合によっては、スイッチマトリクス３４０は統合装置であることもある。管理モジュール３４２は、上述されたセンサの１つもしくは複数から受信されるデータに基づいて切替え動作を発生させるためにネットワーク３４４を介して上記構成要素と通信できる、または切替え動作を発生させるためにユーザインターフェースモジュール３４６からネットワーク３４４を介して命令を受信してよい。管理モジュール３４２は、以下に説明されるような切替え動作を実施するための実行可能命令で構成された１つ以上のコンピュータシステムを含むことがある。
【００１７】
システム３００の示されている実施形態では、トライアックデバイス３１２ａ、３１２ｂ、３３０ａ、３３０ｂのそれぞれは、それぞれの光遮断器３１３ａ、３１３ｂ、３３１ａ、３３１ｂに接続され、それぞれの光遮断器３１３ａ、３１３ｂ、３３１ａ、３３１ｂによって制御される。光遮断器３１３ａ、３１３ｂ、３３１ａ、３３１ｂのそれぞれは、トライアックデバイス３１２ａ、３１２ｂ、３３０ａ、３３０ｂの状態を光学的に制御し、それによって例えば照明、静電放電、無線周波数伝送、切替えパルス（スパイク）、及び電源での摂動によって引き起こされることがある、考えられる電圧サージからトライアックデバイス３１２ａ、３１２ｂ、３３０ａ、３３０ｂを絶縁するために使用される。
【００１８】
切替え動作では、主線トライアックデバイス３１２ａ、３１２ｂは、すでに伝導状態にない場合、伝導状態に入れられる。伝導状態では、主線トライアックデバイス３１２ａ、３１２ｂは、第２の主線ラッチリレー３１０ａ及び３１０ｂの回りに代替の電流経路を設ける。切替え動作の前に、主線トライアックデバイス３１２ａ、３１２ｂは、電力消費を削減するために非伝導状態に任意選択で保つことができる。第２の主線ラッチリレー３１０ａ及び３１０ｂが代替電流経路を介して短絡されるとき、これらのリレーはリレー構成要素に対して最小のストレスをかけた状態で開くことができる。主入力線３０２ａからの電源は、その後主線トライアックデバイス３１２ａ、３１２ｂをオフにすることによって遮断することができ、この後に第１の主線ラッチリレー３０８ａ、３０８ｂを開くこともでき、それによって主入力線３０２ａから出力線３１８ａを切断する。主線トライアックデバイス３１２ａ、３１２ｂがオフにされ、主入力線３０２ａ、３０２ｂによって供給される電力が遮断されるとき、バックアップライントライアックデバイス３３０ａ、３３０ｂはオンにすることができ、バックアップ入力線３２０ａ、３２０ｂから出力線３１８ａ、３１８ｂに電力を接続させる。非ラッチリレー３２８ａ、３２８ｂは次いで、無負荷中トライアックデバイス３３０ａ、３３０ｂによって提供される代替電流経路を介して閉じることができ、バックアップライントライアックデバイス３３０ａ、３３０ｂは次いでオフにできる。
【００１９】
ラッチリレーは、ラッチリレーに状態を切替えるように命令する任意の供給された信号がないときには開放状態または閉鎖状態を保持する。言い換えると、状態変化を命令する信号がないとき、開いているラッチリレーは開いたままとなり、閉じているラッチリレーは閉じたままになる。対照的に、非ラッチリレーは、供給信号がないときデフォルト状態に戻る。バックアップ非ラッチリレー３２８ａ、３２８ｂのデフォルト状態は開である。バックアップリレー３２８ａ、３２８ｂに対する非ラッチリレーの使用は、バックアップリレー３２８ａ、３２８ｂが起動時に開いていることを保証するために役立つ。代わりに、ラッチリレーはバックアップリレー３２８ａ、３２８ｂのために使用できる。非ラッチリレー３２８ａ、３２８ｂを閉鎖状態に保持するためには小さい消費電力が必要とされる。非ラッチリレーの使用は、（例えば、配備前の輸送中の）機械的な衝撃に起因する変化する状態に備えて、非ラッチリレーのレジリエンスに起因するサージに対する追加のセキュリティを提供できる。第１の主線ラッチリレー３０８ａ、３０８ｂ、及び第１のバックアップラインラッチリレー３２６ａ、３２６ｂは、回路を遮断するための第２のセキュリティ層として使用することができ、少なくとも１つの代替実施形態では、これらのラッチリレーは省略できる。
【００２０】
いくつかの実施形態では、スイッチマトリクス３４０及び／又は管理モジュール３４２はネットワークを介してスイッチマトリクス及び／または管理モジュールの他のインスタンスと通信する。管理モジュール３４２は、スイッチマトリクス３４０のような複数のスイッチマトリクスを制御できる。いくつかの実施形態では、スイッチマトリクス３４０及び／または管理モジュール３４２は、無線ネットワークであってよいネットワークを介してスイッチマトリクス及び管理モジュールの他のインスタンスと通信する。いくつかの実施形態では、係るネットワークは、集中ネットワークインフラがないときに互いと通信する該構成要素のアドホックネットワークであってよい。上記の方法のいずれかでネットワーク化されたスイッチマトリクス及び管理構成要素は、検出された電源の不安定性またはユーザー入力以外の適切な要因に基づいて、主電源から第２の電源に切替わるようにさらに構成できる。例えば、単一の電力入力線は、複数のスイッチマトリクスに電力を供給するために使用できる。複数のスイッチマトリクスが単一の電力入力線に接続され、利用できる電力が利用できる電力の所望される量未満であると判断される場合、次いでスイッチマトリクスのサブセットにバックアップ電力入力線に切替わるように指示できる。
【００２１】
いくつかの実施形態では、システム３００は、メイン入力電圧、メイン入力電流、バックアップ入力電圧、バックアップ入力電流、出力線電圧、及び出力線電流の任意の組合せを監視するように構成される。例えば、主線電圧センサ３０４、バックアップライン電圧センサ３２２、及び出力電圧センサ３１６によって検知される電圧は、入力電圧及び出力電圧の波形を取り込むほど十分に適切に高い速度でサンプリングできる。取り込まれた電圧波形は、切替えイベント評価のための以後のアクセスのためにメモリに記録できる。例えば、切替えイベント前の適切な時間（例えば５０ｍｓ）から切替えイベント後の適切な時間（例えば５０ｍｓ）までの入力電圧波形及び出力電圧波形は、切替えイベント評価のための以後のアクセスのために記憶できる。同様に、主線電流センサ３０６、バックアップライン電流センサ３２４、及び出力電流センサ３１４によって検知される電流は、入力電流及び出力電流の波形を取り込むほど十分に適切に高い速度でサンプリングできる。取り込まれた電流波形は、切替えイベント評価のための以後のアクセスのためにメモリに記録できる。例えば、切替えイベント前の適切なとき（例えば５０ｍｓ）から切替えイベント後の適切なとき（例えば５０ｍｓ）までの入力電流波形及び出力電流波形は、切替えイベント評価のための以後のアクセスのために記憶できる。電圧波形データ及び／または電流波形データは、切替えイベントの任意の適切な数（例えば１０）についてメモリに保存できる。電圧波形データ及び／または電流波形データは、任意の出力過渡イベントに対する可視性を深度で提供する。電圧波形データ及び／または電流波形データは、記憶のために遠隔サーバに伝送することができ、それによってシステム３００内のメモリを解放して追加の電圧波形データ及び／または電流波形データを記録する。
【００２２】
図４は、実施形態に従って電源を切替えるための例のプロセス４００を示すプロセス流れ図である。プロセス４００（または本明細書に記載の任意の他の方法、または変形形態、及び／またはその組合せ）の一部またはすべては、実行可能命令で構成された１つ以上のコンピュータシステムの制御下で実行でき、ハードウェアまたはそれらの組合せにより１つ以上のプロセッサで集合的に実行するコード（例えば、実行可能命令、１つ以上のコンピュータプログラム、または１つ以上のアプリケーション）として実装されてよい。コードは、例えば１つ以上のプロセッサによって実行可能な複数の命令を含むコンピュータプログラムの形でコンピュータ可読記憶媒体に記憶されてよい。コンピュータ可読記憶媒体は非一過性であり得る。
【００２３】
プロセス４００で、電圧及び／または電流（Ｖ／Ｉ）異常が検出され、切替え動作を実行する命令が受信される（動作４０２）。例えば、電圧及び／または電流異常は、主線電圧センサ３０４、主線電流センサ３０６、出力電圧センサ３１６、または出力電流センサ３１４（図３）のいずれかを介して検出できる。簡略にするために、プロセス４００は、ラッチリレー３１０ａ及び３１０ｂ等の主線ラッチリレー、ならびにバックアップライン非ラッチリレー３２８ａ、３２８ｂ（図３）を参照して説明され、非ラッチリレー３０８ａ、３０８ｂ、３２６ａ、３２６ｂ等の二次非ラッチリレーに対する明白な参照を省略する。
【００２４】
電圧及び／または電流異常を検出することによってトリガされる切替え動作を実行する命令に応えて、システムは主線トライアックデバイスをオンにし、それによってメインラッチリレーを短絡させる（動作４０４）。システムは次いで主線ラッチリレーを開く（動作４０６）。システムは主線トライアックデバイスを遮断させ（動作４０８）、主入力線との接続を閉じる。システムはバックアップライントライアックデバイスをオンにし、第２のライン非ラッチリレーを短絡させ、電流が、バックアップ入力線３２０ａ、３２０ｂ（図３）等のバックアップラインから流れることを可能にする（動作４１０）。システムはバックアップライン非ラッチリレーに閉じさせる（動作４１２）。システムはバックアップライントライアックデバイスを遮断させ（動作４１４）、これによりバックアップライン入力からの電流は非ラッチリレーを通って流れる。システムはその後、例えばサービスのために主入力線を安全に隔離するために二次ラッチリレーを開く等の追加のステップ（動作４１６）、または他の適切なステップを実行できる。
【００２５】
図５は、実施形態に従って電源を切替えるための代替例のプロセス５００のプロセス流れ図である。プロセス５００で、システムは主電源からバックアップ電源に切替える命令を受信する（動作５０２）。システムはバックアップ入力線で電力品質（電圧品質及び／または電流品質）を決定し（動作５０４）、決定された電力品質を閾値電力品質に比較する（動作５０６）。バックアップ入力線の電力品質が閾値を満たさない（例えば、バックアップ電源がオフラインである）場合、次いでシステムはユーザーに（例えば図３に示されるシステム３００のネットワーク３４４及びユーザーインタフェースモジュール３４６等、ネットワーク及びユーザーインタフェースモジュールを介して中継できる）アラートを提供する（動作５０８）。
【００２６】
バックアップ入力線の電力品質が閾値要件を満たす場合、システムは主線ラッチリレーを短絡させるために主線トライアックデバイスをオンにする（動作５１０）。（プロセス５００の主線ラッチリレーが、図３に示される第２の主線ラッチリレー３１０ａ、３１０ｂ等のトライアックデバイスに平行であるリレーを指すことに再び留意されたい。）主線ラッチリレーが主線トライアックデバイスによって負荷を軽減されるとき、システムは主線ラッチリレーを閉じることができる（動作５１２）。システムは主線トライアックデバイスをオフにする（動作５１４）。システムはバックアップライントライアックデバイスをオンにし、バックアップライン非ラッチリレーを短絡させる（動作５１６）。システムはその後、バックアップ入力線での電力品質（例えば、電圧品質及び／または電流品質）を評価でき（動作５２０）、バックアップラインでの電力品質が閾値を満たすとき、システムはバックアップライン非ラッチリレーを閉じることができる（動作５２０）。システムは、バックアップライントライアックデバイスをオフにすることができ（動作５２２）、次いでスイッチが成功したことをユーザーに通知する（動作５２４）。
【００２７】
図６は、多様な実施形態による態様を実装するための例示的な環境６００の態様を示す。理解されるように、ウェブベースの環境が説明の目的のために使用されるが、多様な実施形態を実装するために異なる環境が必要に応じて使用され得る。環境は電子クライアントデバイス６０２を含み、該電子クライアントデバイスは、要求、メッセージ、または情報を適切なネットワーク６０４を介して送信及び受信するように、ならびにデバイスのユーザーに情報を伝達して戻すように作動する、任意の適切なデバイスを含み得る。係るクライアントデバイスの例には、パーソナルコンピュータ、携帯電話、ハンドヘルドメッセージングデバイス、ラップトップコンピュータ、セットトップボックス、パーソナルデータアシスタント、電子ブックリーダー等が挙げられる。ネットワークは、イントラネット、インターネット、セルラーネットワーク、ローカルエリアネットワーク、もしくは任意の他の係るネットワークまたはその組合せを含む、任意の適切なネットワークを含むことがある。係るシステムのために使用される構成要素は、選択されるネットワーク及び／または環境の種類に少なくとも部分的に依存することがある。係るネットワークを介して通信するためのプロトコル及び構成要素は周知であり、本明細書において詳細に説明されない。ネットワークを介する通信は、有線接続または無線接続及びそれらの組合せによって可能にされることがある。この例では、環境は要求を受信し、要求に応えてコンテンツを提供するためのウェブサーバ６０６を含むので、ネットワークはインターネットを含む。ただし、他のネットワークの場合、当業者に明白であるように、同様の目的を果たす代替のデバイスが使用できるだろう。
【００２８】
例示的な環境は、少なくとも１つのアプリケーションサーバ６０８及びデータストア６１０を含む。いくつかのアプリケーションサーバ、層、もしくは他の要素、プロセス、または構成要素が存在することがあり、これらは、チェーン接続されるか、またはそれ以外の場合構成されることがあり、適切なデータストアからデータを得る等のタスクを実行するためにやり取りすることがあることを理解されたい。本明細書で使用されるように、用語「データストア」は、データを記憶する、データにアクセスする、及びデータを取り出すことができる任意のデバイスまたはデバイスの組合せを指し、これは、データサーバ、データベース、データ記憶装置、及びデータ記憶媒体の任意の組合せ及び数を、任意の標準的な環境、分散環境、またはクラスタ化された環境に含んでよい。アプリケーションサーバは、必要に応じてデータストアと統合してクライアントデバイスのための１つ以上のアプリケーションの態様を実行し、データアクセス及びアプリケーションのためのビジネスロジックの大多数を処理するための任意の適切なハードウェア及びソフトウェアを含むことがある。アプリケーションサーバは、データストアと協働してアクセス制御サービスを提供し、ユーザーに転送されるテキスト、グラフィックス、音声、及び／またはビデオ等のコンテンツを生成することができ、該コンテンツは、この例ではハイパーテキストマークアップ言語（「ＨＴＭＬ」）、拡張マークアップ言語（「ＸＭＬ」）、または別の適切な構造言語の形でウェブサーバによってユーザー提供されてよい。すべての要求及び応答の処理ならびにクライアントデバイス６０２とアプリケーションサーバ６０８との間でのコンテンツの配信は、ウェブサーバによって処理できる。本明細書で説明される構造化されたコードは、本明細書の他の部分で説明される任意の適切なデバイスまたはホストマシンで実行できるので、ウェブサーバ及びアプリケーションサーバは必要とされず、単に例の構成要素であることを理解されたい。
【００２９】
データストア６１０は、いくつかの別個のテーブル、データベース、または特定の態様に関するデータを記憶するための他のデータ記憶機構及びデータ記憶媒体を含むことがある。例えば、示されるデータストアは、生産側にコンテンツを提供するために使用できる生産データ６１２及びユーザー情報６１６を記憶するための機構を含む。また、データストアは、報告、分析、または他の係る目的のために使用できるログデータ６１４を記憶するための機構を含むと示される。ページ画像情報のために、及び必要に応じて上記に示される機構またはデータストア６１０の追加の機構のいずれかに記憶できる正しい情報にアクセスするために等、データストアに記憶される必要のある多くの他の態様があることが理解されるべきである。データストア６１０は、データストアと関連付けられたロジックを通して、アプリケーションサーバ６０８から命令を受信し、命令に応えてデータを入手、更新またはそれ以外の場合処理するよう作動する。一例では、ユーザーは特定のタイプの項目に対する検索要求を送信する可能性がある。この場合、データストアは、ユーザー情報にアクセスしてユーザーのアイデンティティを検証する可能性があり、そのタイプの項目についての情報を入手するためにカタログ詳細情報にアクセスできる。情報は、次いでユーザーがユーザーデバイス６０２のブラウザを介して見ることができるウェブページ上の結果リストで等、ユーザーに戻すことができる。関心のある特定の項目の情報は、ブラウザの専用ページまたはウィンドウ内で見ることができる。
【００３０】
各サーバは、通常そのサーバの一般的な管理及び操作のための実行可能なプログラム命令を提供するオペレーティングシステムを含み、通常サーバのプロセッサによって実行されるときに、サーバがその意図される機能を実行できるようにする命令を記憶するコンピュータ可読記憶媒体（例えば、ハードディスク、ランダムアクセスメモリ、読出し専用メモリ等）を含む。サーバのオペレーティングシステム及び一般的な機能性の適切な実装は既知であるまたは市販されており、特に、本明細書の開示に鑑みて当業者によって容易に実装される。
【００３１】
一実施形態における環境は、１つ以上のコンピュータネットワークまたは直接接続を使用し、通信リンクを介して相互接続されるいくつかのコンピュータシステム及び構成要素を利用する、分散型コンピューティング環境である。しかしながら、係るシステムは、図６に示されるよりも少ない数または多い数の構成要素を有するシステムにおいて同等に良好に動作し得ることが当業者によって理解される。したがって、図６のシステム６００の描写は、本質的に例示であり、本開示の範囲を限定するものではないと見なされるべきである。
【００３２】
多様な実施形態は多種多様な動作環境でさらに実装することができ、該動作環境は場合によっては、いくつかのアプリケーションのいずれかを操作するために使用できる１つ以上のユーザーコンピュータ、コンピューティング装置、または処理装置を含むことがある。ユーザーデバイスまたはクライアントデバイスは、標準オペレーティングシステムを実行するデスクトップコンピュータまたはラップトップコンピュータのいくつかの汎用パーソナルコンピュータ等のいずれか、ならびに携帯電話向けソフトウェアを実行し、かついくつかのネットワーキングプロトコル及びメッセージプロトコルをサポートできる、セルラーデバイス、無線デバイス、及びハンドヘルドデバイスを含むことがある。係るシステムは、さまざまな市販のオペレーティングシステムならびに開発及びデータベース管理等の目的のための他の既知のアプリケーションを実行するいくつかのワークステーションを含むこともある。また、これらのデバイスは、ダミー端末、シンクライアント、ゲーム機、及びネットワークを介して通信できる他のデバイス等の他の電子デバイスを含むこともある。
【００３３】
大部分の実施形態は、伝送制御プロトコル／インターネットプロトコル（「ＴＣＰ／ＩＰ」）、オープンシステムインターコネクション（「ＯＳＩ」）、ファイル転送プロトコル（「ＦＴＰ」）、ユニバーサルプラグアンドプレイ（「ＵｐｎＰ」）、ネットワークファイルシステム（「ＮＦＳ」）、共通インターネットファイルシステム（「ＣＩＦＳ」）、及びＡｐｐｌｅＴａｌｋ等のさまざまな市販のプロトコルのいずれかを使用し、通信をサポートするための当業者によく知られているだろう少なくとも１つのネットワークを活用する。ネットワークは、例えば、ローカルエリアネットワーク、広域ネットワーク、仮想プライベートネットワーク、インターネット、イントラネット、エクストラネット、公衆交換電話網、赤外線ネットワーク、無線ネットワーク、及びその任意の組合せであることがある。
【００３４】
ウェブサーバを利用する実施形態では、ウェブサーバは、ハイパーテキスト転送プロトコル（「ＨＴＴＰ」）サーバ、ＦＴＰサーバ、共通ゲートウェイインタフェース（「ＣＧＩ」）サーバ、データサーバ、Ｊａｖａサーバ、及びビジネスアプリケーションサーバを含むさまざまなサーバまたは中間層アプリケーションのいずれかを実行できる。また、サーバ（複数可）はＪａｖａ（登録商標）、Ｃ、Ｃ＃、もしくはＣ＋＋等の任意のプログラミング言語、またはＰｅｒｌ、Ｐｙｔｈｏｎ、もしくはＴＣＬ等の任意のスクリプト言語、ならびにその組合せで作成された１つ以上のスクリプトまたはプログラムとして実装されてよい１つ以上のウェブアプリケーションを実行することによって等、ユーザーデバイスからの要求に応えてプログラムまたはスクリプトを実行し得る。また、サーバ（複数可）は、Ｏｒａｃｌｅ（登録商標）、Ｍｉｃｒｏｓｏｆｔ（登録商標）、Ｓｙｂａｓｅ（登録商標）、及びＩＢＭ（登録商標）から市販されているものを含むがこれらに制限されないデータベースサーバを含んでもよい。
【００３５】
環境は、上述のさまざまなデータストアならびに他のメモリ及び記憶媒体を含むことがある。これらは、コンピュータの１つ以上にローカルな（及び／もしくはそこに常駐する）またはネットワーク全体でのコンピュータのいずれかまたはすべてから遠く離れた記憶媒体上等のさまざまな場所に常駐することがある。実施形態の特定の一式では、情報は、当業者によく知られているストレージエリアネットワーク（「ＳＡＮ」）に常駐することがある。同様に、コンピュータ、サーバ、または他のネットワークデバイスによる機能を実行するためのあらゆる必要なファイルは、必要に応じてローカルに及び／または遠隔に記憶されてよい。システムがコンピュータ化デバイスを含む場合、係るそれぞれのデバイスはバスを介して電気的に結合されてよいハードウェア要素を含むことがあり、該要素は、例えば、少なくとも１つの中央演算処理装置（「ＣＰＵ」）、少なくとも１つの入力装置（例えば、マウス、キーボード、コントローラ、タッチスクリーン、またはキーパッド）及び少なくとも１つの出力装置（例えば、表示装置、プリンタ、またはスピーカ）を含むことがある。また、係るシステムは、例えば、ディスクドライブ、光学式記憶デバイス等の１つ以上の記憶装置、及び例えば、ランダムアクセスメモリ（「ＲＡＭ」）または読出し専用メモリ（「ＲＯＭ」）等のソリッドステート記憶装置、ならびに取り外し可能な媒体デバイス、メモリカード、フラッシュカード等を含んでもよい。
【００３６】
また、係るデバイスは、上述のようにコンピュータ可読記憶媒体読取り装置、通信装置（例えば、モデム、ネットワークカード（無線または有線）、赤外線通信装置等）、及び作業メモリを含むこともある。コンピュータ可読記憶媒体読取り装置は、遠隔記憶装置、ローカル記憶装置、固定記憶装置、及び／または取外し可能な記憶媒体を表すコンピュータ可読媒体、ならびにコンピュータ可読情報を一時的に及び／またはより恒久的に含む、記憶する、伝送する、及び取り出すための記憶媒体と接続できる、またはそれらを受け取るように構成できる。また、システム及び多様なデバイスは、通常、クライアントアプリケーションもしくはウェブブラウザ等のアプリケーションプログラムを含む、いくつかのソフトウェアアプリケーション、モジュール、サービス、またはオペレーティングシステム、及び少なくとも１つの作業用メモリデバイスの中に位置する他の要素を含む。代替の実施形態が、上述されたものの多数の変形形態も有してよいことが理解されるべきである。例えば、カスタマイズされたハードウェアが使用される可能性もある、及び／または特定の要素がハードウェア、（アプレット等のポータブルソフトウェアを含む）ソフトウェア、または両方で実装される可能性もある。さらに、ネットワーク入力／出力装置等の、他のコンピューティングデバイスへの接続が用いられてよい。
【００３７】
コードまたはコードの一部を含むための記憶媒体及びコンピュータ可読媒体は、ＲＡＭ、ＲＯＭ、電子的消去プログラム可能型読取専用メモリ（「ＥＥＰＲＯＭ」）、フラッシュメモリ、もしくは他のメモリ技術、コンパクトディスクリードオンリーメモリ（「ＣＤ−ＲＯＭ］）、デジタルバーサタイルディスク（ＤＶＤ）、もしくは他の光学ストレージ、磁気カセット、磁気テープ、磁気ディスク記憶装置、もしくは他の磁気記憶装置、または所望の情報を記憶するために使用することができ、かつシステムデバイスによってアクセスできる任意の他の媒体を含む、コンピュータ可読命令、データ構造、プログラムモジュール、または他のデータ等の情報の記憶及び／または伝送のために任意の方法または技術で実装される揮発性及び不揮発性の媒体、取外し可能及び取外しできない媒体等であるが、これに限定されるものではない記憶媒体及び通信媒体を含む当該術において既知の、または使用される任意の適切な媒体を含むことがある。本開示及び本明細書に示される教示に基づいて、当業者は多様な実施形態を実装するための他の方法及び手法を理解するであろう。
【００３８】
したがって、明細書及び図面は、限定的な意味ではなく例示的な意味で考えられるべきである。しかしながら、特許請求の範囲で説明される本開示のより広範の精神及び範囲から逸脱することなく、多様な修正形態及び変形形態が本明細書に加えられ得ることは明らかである。
【００３９】
他の変形形態は、本開示の精神の範囲内である。例えば、実施形態はトライアックデバイスを含むものとして本明細書で説明されているが、本明細書に記載の実施形態で使用される任意のトライアックデバイスの代わりに、任意の適切なソリッドステートリレーを使用できる。したがって、開示された技術は多様な修正形態及び代替構成の影響を受けやすいが、その特定の示される実施形態は図面に示され、上記に詳細に説明されている。しかしながら、本開示を開示された特定の１つ以上の形に限定する意図はなく、逆に意図は、添付の特許請求の範囲によって定義される本開示の精神及び範囲に入るすべての修正形態、代替的な構成、及び均等物を包含することであることが理解されるべきである。
本開示の実施形態は、以下の条項を鑑みて説明できる。
【００４０】
１．データセンタの電子部品に電力を供給するためのＡＣ電源を切替えるためのシステムであって、
主線、センサ、主線ラッチリレー、及び前記主線ラッチリレーと並列接続する主線ソリッドステートリレーを含む主線アセンブリと、
バックアップライン、バックアップライン非ラッチリレー、及び前記バックアップライン非ラッチリレーと並列接続するバックアップラインソリッドステートリレーを含むバックアップラインアセンブリと、
を備えるスイッチング素子と、
前記主線ソリッドステートリレーを閉じさせて、前記主線ラッチリレーを短絡させ、
前記主線ラッチリレーが前記主線ソリッドステートリレーによって短絡される間に、前記主線ラッチリレーを開き、
前記主線ソリッドステートリレーを開き、
前記バックアップラインソリッドステートリレーを閉じさせて、前記バックアップライン非ラッチリレーを短絡させ、
前記バックアップライン非ラッチリレーが前記バックアップラインソリッドステートリレーによって短絡される間に、前記バックアップライン非ラッチリレーを閉じ、
前記バックアップラインソリッドステートリレーを開く、
ために前記スイッチング素子を操作する実行可能命令で構成された管理モジュールと、を備える前記システム。
【００４１】
２．前記スイッチング素子から１つ以上の電子デバイスに電力を転送するように構成された出力線をさらに備える、条項１に記載のシステム。
【００４２】
３．前記スイッチング素子から前記入力線を絶縁するように構成された複数の二次主線ラッチリレーをさらに備える、先行条項のいずれかに記載のシステム。
【００４３】
４．前記管理モジュールがさらに、
前記センサを介して電源異常を検出し、
少なくとも部分的に前記停電を検出することによる切替え動作を開始する
ために前記スイッチング素子を操作する実行可能命令でさらに構成される、先行条項のいずれかに記載のシステム。
【００４４】
５．２つ以上の電源の切替え方法であって、
第１の入力線から第２の入力線に切替える命令を受信することであって、前記第１の入力線が第１のスイッチアセンブリを介して出力線に電気的に接続され、前記第１のスイッチアセンブリが第１のソリッドステートリレーと並列接続する第１のラッチリレーを備え、前記第２の入力線が第２のリレーを備える第２のスイッチアセンブリを介して前記出力線と電気的に接続可能である、前記受信することと、
前記第１のスイッチアセンブリで、前記第１ラッチリレーが短絡されるように前記第１のソリッドステートリレーを閉じさせることと、
前記第１のラッチリレーが前記第１のソリッドステートリレーによって短絡される間に、前記第１のラッチリレーを開かせることと、
第１の入力線が前記出力線から電気的に切断されるように前記第１のソリッドステートリレーを開かせることと、
前記第２の入力線が前記出力線と電気的に接続されるように前記第２のリレーを閉じさせることと、
を含む、前記方法。
【００４５】
６．前記第２のスイッチアセンブリが、前記第２のリレーと並列接続する第２のソリッドステートリレーをさらに備え、
前記第２のリレーが非ラッチリレーを含み、
前記方法がさらに、
前記第２のリレーが短絡されるように前記第２のソリッドステートリレーを閉じさせることと、
前記第２のリレーが前記第２のソリッドステートリレーを介して短絡される間に、前記第２のリレーを閉じさせることと、
をさらに含む、条項５に記載の方法。
【００４６】
７．前記第２のスイッチアセンブリがバックアップラッチリレーをさらに備え、
前記方法が、前記第１の入力線が前記バックアップラッチリレーによって前記第１のソリッドステートリレー及び前記第１のラッチリレーから電気的に絶縁されるように、前記バックアップラッチリレーを開かせることをさらに含む、
条項５または６に記載の方法。
【００４７】
８．ユーザーにアラートを提供させることをさらに含む、条項５から７のいずれかに記載の方法。
【００４８】
９．前記命令が、前記第１の入力線での検出された第１の電力品質に基づいて生成される、条項５から８のいずれかに記載の方法。
【００４９】
１０．前記第１の入力線での第１の電力品質、前記第２の入力線での第２の電力品質、及び前記出力線での第３の電力品質の少なくとも１つを検出することと、
前記第１の電力品質、前記第２の電力品質、及び前記第３の電力品質の少なくとも１つに基づいて前記命令を生成することと、
をさらに含む、条項５から９のいずれかに記載の方法。
【００５０】
１１．切替えを開始する指図を示すユーザー入力を受信することと、
前記ユーザー入力に基づいて前記命令を生成することと、
をさらに含む、条項５から１０のいずれかに記載の方法。
【００５１】
１２．システムであって、
第１の電線路と、
第１のラインセンサと、
第１のラインラッチリレーと、
前記第１ラインラッチリレーと並列接続する第１のラインソリッドステートリレーと
を備える第１のラインアセンブリ
を備える第１のスイッチング素子と、
前記第１のラインソリッドステートリレーを閉じさせて、前記第１のラインラッチリレーを短絡させ、
前記第１のラインラッチリレーが前記第１のラインソリッドステートリレーを介して短絡される間に、前記第１のラインラッチリレーを開かせ、
前記第１のラインソリッドステートリレーをオフにさせる
ために前記スイッチング素子を操作する実行可能命令で構成される管理モジュールと、
を備える、前記システム。
【００５２】
１３．前記スイッチング素子がさらに、
第２の電線路と、
第２のラインリレーと、
前記第２のラインリレーと並列接続する第２のラインソリッドステートリレーと、
を備える第２のラインアセンブリを備え、
前記管理モジュールが、
前記第２のラインソリッドステートリレーを閉じさせて、前記第２のラインリレーを短絡させ、
前記第２のラインリレーが前記第２のラインソリッドステートリレーを介して短絡される間に、前記第２のラインリレーを閉じさせ、
前記第２のラインソリッドステートリレーを開かせる
ために前記スイッチマトリクスを操作する実行可能命令でさらに構成される、条項１２に記載のシステム。
【００５３】
１４．前記第２のラインリレーが非ラッチリレーを含む、条項１３に記載のシステム。
【００５４】
１５．前記第１の電線路を切断するように構成された第１のラインバックアップリレーをさらに備え、
前記管理モジュールがさらに、
切替え動作が発生したことを検出し、
前記切替え動作を検出することに応えて前記第１のラインバックアップリレーを開かせる実行可能命令でさらに構成される、条項１３または１４に記載のシステム。
【００５５】
１６．前記第２の電線路、及び前記第２の電線路での第２のラインセンサを切断するように構成された第２のラインバックアップリレーをさらに備え、
前記管理モジュールがさらに、
前記第２のラインセンサを介して前記第２の電線路での電源異常を検出し、
前記電源異常を検出することに応えて前記第２のラインバックアップリレーを開かせる
実行可能命令でさらに構成される、条項１４または１５に記載のシステム。
【００５６】
１７．前記管理モジュールがさらに、
前記第１の電線路の電源品質に関する情報を受信し、
前記受信した情報に基づいて切替え動作を開始する
実行可能命令で構成される、条項１３から１６のいずれかに記載のシステム。
【００５７】
１８．前記管理モジュールがさらに、
前記第１の電線路の停電に関する情報を受信し、
前記受信した情報に基づいて切替え動作を開始する
実行可能命令で構成される、条項１３から１７のいずれかに記載のシステム。
【００５８】
１９．前記管理モジュールがさらに、
ユーザー入力を受信し、
前記ユーザー入力に基づいて切替え動作を開始する
実行可能命令で構成される、条項１３から１８のいずれかに記載のシステム。
【００５９】
２０．出力線での出力センサをさらに備え、
前記管理モジュールがさらに、
前記出力センサを介して前記出力線での電源品質に関する第１のデータを受信し、
前記第１のラインセンサを介して前記入力線での電源品質に関する第２のデータを受信し、
前記第１のデータ及び前記第２のデータの少なくとも１つに部分的に基づいて切替え動作を開始する
実行可能命令で構成される、条項１２から１９のいずれかに記載のシステム。
【００６０】
開示される実施形態を説明する文脈における（特に以下の特許請求の範囲の文脈における）用語「ａ」、「ａｎ」、及び「ｔｈｅ」ならびに同様の指示語の使用は、本明細書において別段の指示がない限り、または文脈に明らかに矛盾するものでない限り、単数及び複数の双方を網羅すると解釈される。用語「ｃｏｍｐｒｉｓｉｎｇ（備える）」、「ｈａｖｉｎｇ（有する）」及び「ｃｏｎｔａｉｎｉｎｇ（含む）」は、特に断りのない限り、オープンエンド用語（すなわち「を含むが、これらに限定されるものではない」を意味する）として解釈されるべきである。用語「ｃｏｎｎｅｃｔｅｄ（接続された）」は、たとえ介在するものがあっても部分的にまたは完全に、中に含まれる、取り付けられる、また互いに結合されるとして解釈されるべきである。本明細書での値の範囲の列挙は、本明細書に別段の指示がない限り、単に、範囲内に入るそれぞれの別個の値に個別に言及する短縮方法としての役割を果たすことが意図され、各個別の値は、それが個別に本明細書に記載されているかのように本明細書に組み込まれる。本明細書に記載されるすべての方法は、本明細書で別段の指示がない限り、または文脈に明らかに矛盾するものでない限り、任意の適切な順序で実行できる。本明細書で示される任意の及びすべての例、または例示的な言語（例えば、「〜など」）は、単に本開示の実施形態をよりよく示すことを意図しており、別段の主張がない限り、本開示の範囲を限定するものではない。本明細書のいかなる言葉も、本開示の実施にとって必須として任意の請求されていない要素を示すものと解釈されるべきではない。
【００６１】
特に断りのない限り、句「Ｘ、Ｙ、またはＺの少なくとも１つ」のような選言的な言葉は、項目、用語等がＸ、Ｙ、もしくはＺまたはそのいずれかの組合せ（例えば、Ｘ、Ｙ、及び／またはＺ）であってよいことを示すために一般的に用いられるとして文脈の中で理解されることが意図される。したがって、係る選言的言語は、特定の実施形態がＸの少なくとも１つ、Ｙの少なくとも１つ、及びＺの少なくとも１つがそれぞれ存在することを必要とすることを暗示することを概して意図しておらず、意味するべきではない。
【００６２】
発明を実施するために発明者に知られている最良の形態を含む本開示の好ましい実施形態が本明細書に説明される。これらの好ましい実施形態の変形形態は、前述の説明を読むと当業者に明らかになり得る。本発明者らは、当業者がこのような変形形態を必要に応じて利用することを期待し、本発明者らは本開示が本明細書に具体的に記載されたものとは別の方法で実施されることを意図する。したがって、本発明は、適用法によって許容されるように、本明細書に添付された特許請求の範囲に記載された主題のすべての修正形態及び均等物を含む。さらに、本明細書に別段の指示がない限り、または文脈に明らかに矛盾するものでない限り、上述要素のすべての考え得る変形形態での上記要素の任意の組合せが本発明に包含される。
【００６３】
あたかも各参考文献が個々にかつ具体的に参照によりその全体として本明細書に援用されることが示されるかのように、本明細書で引用した刊行物、特許出願及び特許を含むすべての参考文献は、同程度に参照により本明細書に援用される。
【図１】
0006637597.tif 000002
【図２】
0006637597.tif 000003
【図３】
0006637597.tif 000004
【図４】
0006637597.tif 000005
【図５】
0006637597.tif 000006
【図６】
0006637597.tif 000007